(57)【要約】【課題】バンドの劣化を低減することができる時計を提供する。【解決手段】時計は、ケース１０と、ケース１０に設けられた第１ばね棒支持部４４及び第２ばね棒支持部４４と、第１ばね棒支持部４４及び第２ばね棒支持部４４に支持されるばね棒４６と、ばね棒４６が挿入され、第１ばね棒支持部４４と第２ばね棒支持部４４との間に設けられるカバー部材６６と、カバー部材６６とケース１０との間に配置されるバンド１２と、を有する。【選択図】図２
2019138826.tif 000002
【特許請求の範囲】
【請求項１】
ケースと、
前記ケースに設けられた第１ばね棒支持部及び第２ばね棒支持部と、
前記第１ばね棒支持部及び前記第２ばね棒支持部に支持されるばね棒と、
前記ばね棒が挿入され、前記第１ばね棒支持部と前記第２ばね棒支持部との間に設けられるカバー部材と、
前記カバー部材と前記ケースとの間に配置されるバンドと、
を有することを特徴とする時計。
【請求項２】
磁気センサーが前記ケースに収容され、
前記ケース、前記ばね棒、及び前記カバー部材は、チタン材であることを特徴とする請求項１に記載の時計。
【請求項３】
前記ケースは、裏蓋と、カバーガラスと、を有し、
前記ばね棒は、前記裏蓋の外表面を延長した仮想面と、前記カバーガラスの外表面を延長した仮想面と、の間に設けられていることを特徴とする請求項１又は２に記載の時計。
【請求項４】
前記カバー部材は、前記カバー部材の端の縁部が面取り部を有することを特徴とする請求項１〜３のいずれか一項に記載の時計。
【請求項５】
前記カバー部材と前記ケースとの間の距離は、前記バンドの厚さ方向の寸法より長いことを特徴とする請求項１〜４のいずれか一項に記載の時計。
【請求項６】
前記カバー部材と前記ケースとの間の距離は、前記バンドの厚さ方向の寸法より短いことを特徴とする請求項１〜４のいずれか一項に記載の時計。
【請求項７】
前記カバー部材は、形状が筒状であることを特徴とする請求項１〜６のいずれか一項に記載の時計。
【請求項８】
前記カバー部材は、前記カバー部材の端の縁部に切欠き部を有することを特徴とする請求項１〜７のいずれか一項に記載の時計。
【請求項９】
前記ばね棒は、第１つばと第２つばとが設けられた伸縮部を有し、
前記カバー部材の長手方向の寸法は、前記伸縮部が伸縮したときの、前記第１つばと前記第２つばとの間の距離より長いことを特徴とする請求項１〜８のいずれか一項に記載の時計。
【発明の詳細な説明】
【技術分野】
【０００１】
本発明は、時計に関するものである。
【背景技術】
【０００２】
従来、時計用バンドを時計ケースのかん（バンド支持部）に取り付けるばね棒が知られている。時計用バンドは、時計ケース（ケース本体）とばね棒（ブリッジ部）とで構成されるバンド通過穴に挿入されている（例えば、特許文献１参照）。
【先行技術文献】
【特許文献】
【０００３】
【特許文献１】特開平１−１４５００３号公報
【発明の概要】
【発明が解決しようとする課題】
【０００４】
しかしながら、特許文献１ではバンド通過穴に直接時計バンドが挿入されている。そのため、装着者等の動きに従って時計バンドが動くことにより、時計バンドとばね棒との間の摩擦が発生し時計バンドが劣化（摩耗）するおそれがあった。
【課題を解決するための手段】
【０００５】
本願の時計は、ケースと、前記ケースに設けられた第１ばね棒支持部及び第２ばね棒支持部と、前記第１ばね棒支持部及び前記第２ばね棒支持部に支持されるばね棒と、前記ばね棒が挿入され、前記第１ばね棒支持部と前記第２ばね棒支持部との間に設けられるカバー部材と、前記カバー部材と前記ケースとの間に配置されるバンドと、を有することを特徴とする。
【０００６】
上記の時計では、磁気センサーが前記ケースに収容され、前記ケース、前記ばね棒、及び前記カバー部材は、チタン材であることが好ましい。
【０００７】
上記の時計では、前記ケースは、裏蓋と、カバーガラスと、を有し、前記ばね棒は、前記裏蓋の外表面を延長した仮想面と、前記カバーガラスの外表面を延長した仮想面と、の間に設けられていることが好ましい。
【０００８】
上記の時計では、前記カバー部材は、前記カバー部材の端の縁部が面取り部を有することが好ましい。
【０００９】
上記の時計では、前記カバー部材と前記ケースとの間の距離は、前記バンドの厚さ方向の寸法より長いことが好ましい。
【００１０】
上記の時計では、前記カバー部材と前記ケースとの間の距離は、前記バンドの厚さ方向の寸法より短いことが好ましい。
【００１１】
上記の時計では、前記カバー部材は、形状が筒状であることが好ましい。
【００１２】
上記の時計では、前記カバー部材は、前記カバー部材の端の縁部に切欠き部が設けられていることが好ましい。
【００１３】
上記の時計では、前記ばね棒は、第１つばと第２つばとが設けられた伸縮部を有し、前記カバー部材の長手方向の寸法は、前記伸縮部が伸縮したときの、前記第１つばと前記第２つばとの間の距離より長いことが好ましい。
【図面の簡単な説明】
【００１４】
【図１】本実施形態に係る磁気センサー付き時計を示す正面図。
【図２】本実施形態に係る磁気センサー付き時計を示す斜視図。
【図３】本実施形態に係る引き通しバンドの取付け構造を示す拡大断面図。
【図４】本実施形態に係るカバー部材を示す正面、側面、及び断面図。
【図５】本実施形態に係るかんとバンドとを連結するばね棒を示す断面図。
【図６】変形例１のカバー部材を示す正面及び側面図。
【図７】変形例２のカバー部材を示す正面図。
【図８】変形例３のカバー部材を示す正面及び側面図。
【図９】変形例４のカバー部材を示す断面図。
【図１０】変形例４のカバー部材を示す断面図。
【図１１】変形例４のカバー部材を示す断面図。
【図１２】変形例４のカバー部材を示す断面図。
【発明を実施するための形態】
【００１５】
以下、本発明の実施形態の時計としての磁気センサー付き時計を図面に基づいて説明する。
図１は、本実施形態に係る磁気センサー付き時計を示す正面図である。図２は、本実施形態に係る磁気センサー付き時計を示す斜視図である。
【００１６】
本実施形態に係る磁気センサー付き時計２（以下、時計２と略す）は、ユーザーの手首に装着される腕時計である。時計２は、図１及び図２に示すように、ケースとしての外装ケース１０と、外装ケース１０に設けられた第１ばね棒支持部及び第２ばね棒支持部としての一対のかん４４と、一対のかん４４に支持されるばね棒４６と、ばね棒４６が挿入され、一対のかん４４の間に設けられるカバー部材６６と、カバー部材６６と外装ケース１０との間に配置されるバンドとしての引き通しバンド１２（以下、バンド１２と略す）と、を備えている。外装ケース１０には、図示略のムーブメントと、円板状の文字板１４と、指針１６と、操作部材であるリューズ１８、Ａボタン２０、Ｂボタン２２、及びＣボタン２４と、が設けられる。
【００１７】
文字板１４は、メインダイヤル２６と、サブダイヤル２８と、を備えている。指針１６は、メインダイヤル２６を指示するセンター針（時針３０、分針３２、及び方位指示針３４）と、サブダイヤル２８を指示する小秒針３６と、を備えている。時針３０、分針３２、方位指示針３４、及び小秒針３６は、ムーブメントに設けられたモーターでそれぞれ駆動されている。
【００１８】
本実施形態の時計２では、図１に示すように、磁気センサー５０は、文字板１４のユーザーが視認する面に交差する方向（狭義には直交）からの平面視では文字板１４の１２時に近い位置に配置されている。外装ケース１０は、磁気センサー５０を内蔵する。そして、操作部材の操作によって、方位を指示するコンパスモードが選択されると、磁気センサー５０が作動されて方位計測が実行され、方位指示針３４は、計測結果に基づき、「北」の方角を指示する。
【００１９】
胴３８の１２時側及び６時側には、バンド１２が取り付けられる一対のかん４４がそれぞれ設けられている。一対のかん４４は、外装ケース１０に設けられる。一対のかん４４が対向する対向面には、ばね棒４６が挿入されるかん穴４８が設けられている。ばね棒４６は、一対のかん４４に支持されている。
【００２０】
バンド１２は、レザーバンド、樹脂バンド、シリコンバンドなどの非金属製の引き通しバンドで構成されている。バンド１２は、ポリアミド系合成繊維、革やゴム、ワイヤーを編み込んだものなどであってもよい。また、バンド１２は、メタルバンドであってもよい。さらに、バンド１２は、メタルバンドに限らず、レザーバンド（皮革バンド）や樹脂バンド（ウレタンバンド、ナイロンバンド、シリコンバンド）などでもよい。すなわち、バンド１２は、ばね棒４６を用いて固定できるバンドであればよい。バンド１２は、カバー部材６６と外装ケース１０との間に配置される。バンド１２は、外装ケース１０の１２時側のばね棒４６と外装ケース１０との間から、裏蓋４０部分を介して、６時側のばね棒４６と外装ケース１０との間に挿通されて、外装ケース１０に取り付けられる。
【００２１】
図３は、本実施形態に係るバンド１２の取付け構造を示す拡大断面図である。
外装ケース１０は、図３に示すように、胴３８、裏蓋４０、及びガラス縁４２を備えている。これらの部品は、純チタン等のチタン材で構成されている。なお、胴３８と裏蓋４０とが一体に形成されていてもよい。外装ケース１０は、外装ケース１０の表側に設けられる透明のカバーガラス６８を備えている。カバーガラス６８は、ガラス、樹脂、セラミックス、サファイア等で構成されている。また、カバーガラス６８は、ガラス、樹脂、セラミックス、サファイア等での複合材で構成されてもよい。
【００２２】
ばね棒４６は、裏蓋４０の外表面を延長した仮想面７８と、カバーガラス６８の外表面を延長した仮想面８０と、の間に設けられていることが好ましい。これにより、バンド１２が外装ケース１０とカバー部材６６との間で湾曲するので外装ケース１０をバンド１２に対して安定して保持することができる。なお、外装ケースの裏側に裏蓋が設けられていない場合（胴３８と裏蓋４０とが一体に形成されている場合）は、外装ケースの裏側の外表面を延長して仮想面７８としてもよい。
【００２３】
また、カバー部材６６は、裏蓋４０の外表面を延長した仮想面７８と、カバーガラス６８の外表面を延長した仮想面８０と、の間に設けられていることが好ましい。これにより、バンド１２が外装ケース１０とカバー部材６６との間で湾曲するので外装ケース１０をバンド１２に対して安定して保持することができる。ばね棒４６が、裏蓋４０の外表面を延長した仮想面７８と、カバーガラス６８の外表面を延長した仮想面８０と、の間に設けられていると比較すると、カバー部材６６は、裏蓋４０の外表面を延長した仮想面７８と、カバーガラス６８の外表面を延長した仮想面８０と、の間に設けられている方が、バンド１２が外装ケース１０とカバー部材６６との間でより湾曲するので外装ケース１０をバンド１２に対してより安定して保持することができる。なお、外装ケースの裏側に裏蓋が設けられていない場合（胴３８と裏蓋４０とが一体に形成されている場合）は、外装ケースの裏側の外表面を延長して仮想面７８としてもよい。
【００２４】
ここまで、裏蓋４０とカバーガラス６８とは略平面であることを前提に仮想面７８及び仮想面８０を定義したが、裏蓋４０及びカバーガラス６８の少なくとも一方が湾曲していたり、凸部が設けられていてもよい。この場合、裏蓋４０又はカバーガラス６８の外表面の文字板１４から最も離れた部分を基準として、文字板１４に平行な仮想面を定義してもよい。
【００２５】
［カバー部材の構成］
図４は、本実施形態に係るカバー部材６６を示す正面、側面、及び断面図である。
カバー部材６６は、図４に示すように、中空形状になっており、ばね棒４６を挿入することができる。カバー部材６６は、ばね棒４６に対して回動可能である。
【００２６】
カバー部材６６は、形状が筒状であることが好ましい。これにより、ばね棒４６に対して、カバー部材６６を容易に着脱することができる。カバー部材６６は、形状が円筒状であることが好ましい。
【００２７】
カバー部材６６は、カバー部材６６の両端の縁部をそれぞれ面取り加工することにより形成された面取り部７６を備えることが好ましい。これにより、カバー部材６６の面取り部７６とバンド１２との接触によるバンド１２の劣化を抑制することができる。なお、面取り加工とは、部材の角部を削り角面や丸面などの形状に加工する工法であり、丸み面取りや角度を指定した面取りを含む。丸み面取りを行った場合、面取り部７６は、カバー部材６６の縁部が曲面を備える。また、角度を指定した面取りを行った場合、面取り部７６は、カバー部材６６の外表面に対して指定した角度を成す面を備える。
【００２８】
また、図３に示すように、カバー部材６６と外装ケース１０との間の距離ｔ１は、バンド１２の厚さ方向の寸法ｔ２より長いことが好ましい。バンド１２の厚さ方向の寸法ｔ２は、バンド１２の厚さである。これにより、バンド１２の取付けを容易に行うことができる。
【００２９】
なお、カバー部材６６と外装ケース１０との間の距離ｔ１は、バンド１２の厚さ方向の寸法ｔ２より短くてもよい。バンド１２の厚さ方向の寸法ｔ２は、バンド１２の厚さである。この場合、外装ケース１０をバンド１２に対して安定して保持することができる。
【００３０】
カバー部材６６は、カバー部材６６の両端の縁部の一部が切り欠かれる切欠き部７０が設けられていることが好ましい。切欠き部７０は、カバー部材６６の縁部からカバー部材６６の長軸方向に設けられた溝や、スリットを含む。これにより、切欠き部７０からばね棒用の治具（図示せず）を差し込み、かん４４に対して、ばね棒４６を容易に着脱することができる。また、かん穴４８がかん４４を貫通しない袋穴でもばね棒４６を容易に外すことができる。なお、カバー部材６６の一方の端の縁部のみに切欠き部７０が設けられていてもよい。また、切欠き部７０が設けられない構成としてもよい。
【００３１】
ばね棒４６は、第１つば７２と第２つば７４とが設けられた伸縮部としてのピン５４を備えている（図５参照）。カバー部材６６の長手方向の寸法ｔ３は、ピン５４が伸縮したときの、第１つば７２と第２つば７４との間の距離ｔ４（図５参照）より長いことが好ましい。これにより、つば７２，７４とバンド１２との接触によるバンド１２の劣化を抑制することができる。
【００３２】
なお、カバー部材６６の寸法ｔ３は、外装ケース１０の一対のかん４４の間の幅が２２．０５ｍｍの寸法の場合、カバー部材６６の両端とそれぞれのかん４４との隙を１０ｍｍの寸法に設定され、例えば、２１．８５ｍｍである。
【００３３】
カバー部材６６の内径φ１は、ばね棒４６の外径が１．８０ｍｍの場合、ばね棒４６に対するカバー部材６６が回転良好な寸法に設定され、例えば、２．１０ｍｍとされている。
【００３４】
カバー部材６６の外径φ２は、カバー部材６６と外装ケース１０との間にバンド１２が挿入可能な寸法に設定され、例えば、２．７０ｍｍとされている。
【００３５】
外装ケース１０に磁気センサー５０が内蔵されている場合、外装ケース１０、ばね棒４６、及びカバー部材６６は、チタン材で形成されていることが好ましい。これにより、磁気センサー５０への磁場の影響を抑制することができる。
【００３６】
また、カバー部材６６及びばね棒４６の材質は、チタン材、ＳＵＳ材を選択することができるが、方位を指示するコンパスモードが搭載される場合は、影響の少ないチタン材を選択してもよい。なお、チタン材以外にも、ガラス、セラミックス、及び樹脂等の磁化し難い材料であってもよい。
【００３７】
［ばね棒の構成］
図５は、本実施形態に係るかん４４とバンド１２とを連結するばね棒４６を示す断面図である。
ばね棒４６は、円筒状のパイプ５２と、パイプ５２の両端に挿入される一対のピン５４と、パイプ５２の内部で一対のピン５４の間に位置し、両方のピン５４をパイプ５２の外側に向けて付勢するばね５６と、を備えている。ばね棒４６は、非磁性材料製のカバー部材６６で被覆されている。
【００３８】
パイプ５２は、着磁し難い非磁性材料である純チタン材で製造されたチタン管である。パイプ５２の開口端部５８は、パイプ５２の中心軸側に曲げられて開口の径寸法がパイプ５２の内径よりも小さくなるように加工されている。この開口端部５８は、ピン５４の段差部（後述する大径部６０と小径部６２との段差部）に係合し、ピン５４がパイプ５２から外れることを防止する。
【００３９】
各ピン５４は、着磁し難い非磁性材料であるチタン合金等のチタン材で製造されたものである。各ピン５４は、大径部６０と、小径部６２と、第１つば７２（第２つば７４）と、挿入部６４と、を備えている。
【００４０】
大径部６０は、パイプ５２内に配置されてばね５６が当接する部分であり、その径寸法は、パイプ５２の開口端部５８の開口の寸法よりも大きくされている。
【００４１】
小径部６２は、大径部６０に連続して形成され、開口端部５８の開口の寸法よりも小さい径寸法とされている。このため、小径部６２は、開口端部５８の開口を通してパイプ５２の外側に突出して設けられる。
【００４２】
第１及び第２つば７２，７４は、小径部６２の端部において軸方向に間隔を空けて２つ形成されている。第１及び第２つば７２，７４の径寸法は、小径部６２よりも大きい寸法とされている。さらに、第１及び第２つば７２，７４は、開口端部５８の開口寸法よりも大きい寸法とされ、ピン５４をパイプ５２内に押し込んだ際に、第１及び第２つば７２，７４が開口端部５８に当接することで、それ以上押し込むことができないように構成されている。また、第１及び第２つば７２，７４は、かん穴４８の開口寸法よりも大きい寸法とされ、挿入部６４がかん穴４８に挿入された際に、第１及び第２つば７２，７４がかん４４に当接するように構成されている。
【００４３】
挿入部６４は、第１及び第２つば７２，７４に連続して形成され、小径部６２の径寸法よりも小さい径寸法とされている。この挿入部６４は、一対のかん４４のかん穴４８に挿入可能な寸法とされている。このように構成されたピン５４は、パイプ５２の軸方向に沿ってスムーズに進退可能とされている。
【００４４】
ばね５６は、スプロン材（ＳＰＲＯＮ：登録商標）で製造されたコイルばねである。スプロン材は、コバルト−ニッケル合金であり、ばね性（弾性）を有し、かつ、着磁し難い特性を有する非磁性材料である。なお、ばね５６は、スプロン材に限定されず、弾性を有し磁化されにくい非磁性材料であればよい。
【００４５】
このように構成されたばね棒４６において、ピン５４は、図５の上図に示すように、ばね５６に付勢されて小径部６２がパイプ５２の外側に突出した状態と、図示は略すが、ピン５４がパイプ５２の内側に向かって押し込まれ、第１及び第２つば７２，７４がパイプ５２の開口端部５８に当接する状態と、の間で進退可能とされている。図５の下図は、ばね棒４６とカバー部材６６とが、一対のカン４４の間に設けられている状態を示している。
【００４６】
ばね棒４６は、カバー部材６６に挿入され、一対のかん４４の間に設けられる。ばね棒４６は、ＳＵＳ材やチタン材で製造された金属パイプであるカバー部材６６内に挿入することで被覆されている。これにより、ばね棒４６のピン５４の第１及び第２つば７２，７４は、外部に露出せず、バンド１２は、カバー部材６６に接触して挿通されている。
【００４７】
ばね棒４６をカバー部材６６で被覆しているので、ばね棒４６の第１及び第２つば７２，７４が露出してバンド１２に接触することを抑制できる。このため、バンド１２がつば７２，７４に引っ掛かって裂けることも抑制できる。
【００４８】
また、ばね棒４６及びカバー部材６６が非磁性材料で構成されているので、ばね棒４６及びカバー部材６６が着磁することを抑制でき、磁気センサー５０によって正しい方位を検出して、方位指示針３４で指示することができる。
【００４９】
ばね棒４６のかん４４への取付けは、専用の治具を第１つば７２と第２つば７４との間に嵌め、つば７２，７４を内側に押して、ばね５６のばね力に抗してピン５４をパイプ５２の内部に引っ込ませることにより、ばね棒４６の全体の寸法を短くし、この状態で、ピン５４の先端部をかん穴４８に嵌入させることで行えるようになっている。
【００５０】
また、装着用のバンド１２を交換するなどのためにばね棒４６は、取り外す必要があるので、取り付ける場合と同様に、専用の治具を用いて、つば７２，７４を内側に押すことで、ピン５４をパイプ５２の内部に縮ませて、ピン５４の先端部をかん穴４８から外すことが可能となっている。
【００５１】
次に、ばね棒４６を用いてバンド１２を、外装ケース１０のかん４４に連結する工程について説明する。
まず、カバー部材６６にばね棒４６を挿入する。
【００５２】
次に、ピン５４をパイプ５２内側に押し込みながら、カバー部材６６及びばね棒４６を一対のかん４４の間に配置する。そして、挿入部６４をかん穴４８の位置に合わせてピン５４の押し込み力を弱めると、ピン５４は、ばね５６の付勢力で外側に移動し、挿入部６４がかん穴４８内に挿入される。カバー部材６６をばね棒４６にセットした状態で、外装ケース１０にばね棒４６を固定する。カバー部材６６がセットされたばね棒４６が１２時、６時方向の外装ケース１０のかん穴４８位置に固定される。
【００５３】
次に、カバー部材６６がセットされたばね棒４６にバンド１２を引き通す。カバー部材６６と外装ケース１０との間（１２時側）にバンド１２を挿し込み、裏蓋４０側を通してもう一方（６時側）のカバー部材６６と外装ケース１０との間にバンド１２を通す。バンド１２の長さは、図示しない美錠で調整することが可能である。
【００５４】
なお、カバー部材６６及びばね棒４６を外す場合には、かん穴４８から治具を差し込んでピン５４をパイプ５２内側に移動してかん穴４８から外す。これにより、ばね棒４６とかん穴４８との係合が解除され、カバー部材６６及びばね棒４６をかん４４から取り外すことができる。
【００５５】
［実施形態の作用効果］
このような実施形態によれば、次の作用効果を奏することができる。
ばね棒４６にセットされたカバー部材６６があることで、ばね棒４６とバンド１２との摩擦を抑制できるので、バンド１２の劣化を低減することができる。また、ナイロン系合成樹脂や、ポリアミド系合成繊維等のバンド１２もばね棒４６に引っ掛かることがなく裂けを抑制することができる。
【００５６】
バンド１２を外装ケース１０に引き通す場合、ばね棒４６の外側にカバー部材６６を配置することにより、バンド１２の裂けの抑制と商品外観の向上の少なくとも一方を実現することができる。また、カバー部材６６が回動することで、バンド１２の引き通し性もスムーズであり、取付け性を向上することができる。なお、バンド１２は、引き通しバンドに限らず、バンド１２の一方の端部に設けられた筒状部にカバー部材６６が挿入された場合でもバンド１２の裂け抑制を実現することができる。
【００５７】
カバー部材６６の表面に図示しないレーザー等により柄や文字（文字列）８４を加飾することで（図４参照）、機能部の外観を向上させることができる。また、かん４４とバンド１２とは、ばね棒４６を用いて連結しているので、チタン材のネジピンを用いて連結する場合に比べて、かん穴４８も小さな径にでき、デザイン性も向上することができる。
【００５８】
また、バンド１２をかん４４に連結するばね棒４６として、チタン材のパイプ５２、ピン５４と、スプロン材のばね５６と、を用いたので、磁化し難い材料でばね棒４６を構成することができる。このため、ばね棒４６が着磁を抑制でき、ばね棒４６の磁界による影響が抑えられた磁気センサー５０による方位検出ができるので、方位指示針３４での指示の精度が向上する。
【００５９】
ばね棒４６を共通化することができる。また、ばね棒４６は、共通のものを使用しているため、カバー部材６６を外せば、メタルバンドや固定かん合のレザーバンド等も取り付けることが可能である。
【００６０】
なお、バンド１２用のばね棒として、つばが形成されていないばね棒を用いた場合にはカバー部材６６を不要にできる。ただし、チタン材のばね棒４６は、コストが高いため、一対のかん４４の間の幅寸法に加えて、つばの有無で複数種類のばね棒４６を用意することが難しい。一方、カバー部材６６を設ければ、ばね棒４６は、通常のバンド及びバンド１２とで兼用できるので、ばね棒４６の種類を少なくすることができ、コストも低減することができる。
【００６１】
［他の実施形態］
なお、本発明は上記実施形態に限定されず、本発明の要旨の範囲内で種々の変形実施が可能である。
【００６２】
（変形例１）
図６は、本変形例のカバー部材８６を示す正面及び断面図である。
カバー部材８６は、図６に示すように、両端の切欠き部７０は、連続していてもよい。具体的には、カバー部材８６の長手方向に垂直な断面がＣ文字形状であってもよい。
【００６３】
（変形例２）
図７は、本変形例のカバー部材８８を示す正面図である。
カバー部材８８は、図７に示すように、連結されていないカバー部材８８ａとカバー部材８８ｂとの構成であってもよい。これにより、カバー部材８８ａとカバー部材８８ｂとは、ばね棒４６に対して、別々に回動可能となり、バンド１２の引き通し性もスムーズであり、取付け性が向上する。なお、本変形例では、カバー部材８８をカバー部材８８ａとカバー部材８８ｂとの２個の構成にしたが、３個以上の構成であってもよい。
【００６４】
また、カバー部材６６は、形状が円筒状であることが好ましいが、円筒状に限らず、多角形の筒状、その他の任意の筒形状であってもよい。
【００６５】
（変形例３）
図８は、本変形例のカバー部材９０を示す正面及び断面図である。
カバー部材９０は、図８に示すように、軸方向に何本かの溝８２が切ってあり、カバー部材８６の長手方向に垂直な断面が歯車のようになっていてもよい。これにより、カバー部材９０とバンド１２との接触面積が小さくなり、バンド１２の引き通し性もスムーズであり、取付け性が向上する。
【００６６】
（変形例４）
図９〜図１２は、本変形例のカバー部材９２〜９８を示す断面図である。
【００６７】
例えば、カバー部材９２は、図９に示すように、カバー部材９２の長手方向に垂直な断面の外周形状が楕円形であってもよい。
【００６８】
また、カバー部材９４は、図１０に示すように、カバー部材９４の長手方向に垂直な断面の外周形状が三角形であってもよい。
【００６９】
また、カバー部材９６は、図１１に示すように、カバー部材９６の長手方向に垂直な断面の外周形状が四角形であってもよい。
【００７０】
また、カバー部材９８は、図１２に示すように、カバー部材９８の長手方向に垂直な断面の外周形状が五角形であってもよい。
【００７１】
なお、上述ではカバー部材６６，８６〜９８の長手方向に垂直な断面の内周形状を円形状としたが、円形状以外であってもよい。例えば、カバー部材９２〜９８の長手方向に垂直な断面の内周形状が外周形状と同じ形状であってもよい。また、カバー部材６６，８６〜９８の長手方向に垂直な断面の内周形状の中心と外周形状の中心とは、ずれていてもよい。
【００７２】
カバー部材６６，８６〜９８は、バンド１２を使用する様々な小型機器に展開が可能である。
【００７３】
なお、ばね棒４６をつば無しのばね棒とする構成もあるが、外装ケースへの取付け性が悪くなってしまう。例えば、つばの部分を治具等でつかんでばね棒を外装ケースに固定しているが、治具を使用することができない。また、かん穴がかんを貫通しない袋穴だとばね棒が外せないことから通し穴にする必要がある。さらに、ばね棒の仕様が増えてしまう。
【００７４】
以下に、実施形態から導き出される内容を記載する。
【００７５】
時計は、ケースと、前記ケースに設けられた第１ばね棒支持部及び第２ばね棒支持部と、前記第１ばね棒支持部及び前記第２ばね棒支持部に支持されるばね棒と、前記ばね棒が挿入され、前記第１ばね棒支持部と前記第２ばね棒支持部との間に設けられるカバー部材と、前記カバー部材と前記ケースとの間に配置されるバンドと、を有することを特徴とする。これにより、ばね棒とバンドとの摩擦を抑制できるので、バンドの劣化を低減することができる。
【００７６】
上記の時計は、磁気センサーが前記ケースに収容され、前記ケース、前記ばね棒、及び前記カバー部材は、チタン材であることが好ましい。これにより、磁気センサーへの磁場の影響を抑制することができる。
【００７７】
上記の時計では、前記ケースは、裏蓋と、カバーガラスと、を有し、前記カバー部材は、前記裏蓋の外表面を延長した仮想面と、前記カバーガラスの外表面を延長した仮想面と、の間に設けられていることが好ましい。これにより、バンドがケースとカバー部材との間で湾曲するのでケースをバンドに対して安定して保持することができる。
【００７８】
上記の時計では、前記ばね棒は、前記カバー部材の端の縁部が面取り部を有することが好ましい。これにより、カバー部材の両端の縁部とバンドの接触によるバンドの劣化を抑制することができる。
【００７９】
上記の時計では、前記カバー部材と前記ケースとの間の距離は、前記バンドの厚さ方向の寸法より長いことが好ましい。これにより、バンドの取付けを容易に行うことができる。
【００８０】
上記の時計では、前記カバー部材と前記ケースとの間の距離は、前記バンドの厚さ方向の寸法より短いことが好ましい。これにより、ケースをバンドに対して安定して保持することができる。
【００８１】
上記の時計では、前記カバー部材は、形状が筒状であることが好ましい。これにより、ばね棒に対して、カバー部材を容易に着脱することができる。
【００８２】
上記の時計では、前記カバー部材は、前記カバー部材の端の縁部に切欠き部を有することが好ましい。これにより、切欠き部からばね棒用の治具を差し込み、第１ばね棒支持部及び第２ばね棒支持部に対して、ばね棒を容易に着脱することができる。
【００８３】
上記の時計では、前記ばね棒は、第１つばと第２つばとが設けられた伸縮部を有し、前記カバー部材の長手方向の寸法は、前記伸縮部が伸縮したときの、前記第１つばと前記第２つばとの間の距離より長いことが好ましい。これにより、第１及び第２つばとバンドとの接触によるバンドの劣化を抑制することができる。
【符号の説明】
【００８４】
２…磁気センサー付き時計（時計）  １０…外装ケース（ケース）  １２…引き通しバンド（バンド）  １４…文字板  １６…指針  １８…リューズ  ２０…Ａボタン  ２２…Ｂボタン  ２４…Ｃボタン  ２６…メインダイヤル  ２８…サブダイヤル  ３０…時針  ３２…分針  ３４…方位指示針  ３６…小秒針  ３８…胴  ４０…裏蓋  ４２…ガラス縁  ４４…かん（第１ばね棒支持部、第２ばね棒支持部）  ４６…ばね棒  ４８…かん穴  ５０…磁気センサー  ５２…パイプ  ５４…ピン  ５６…ばね  ５８…開口端部  ６０…大径部  ６２…小径部  ６４…挿入部  ６６…カバー部材  ６８…カバーガラス  ７０…切欠き部  ７２…第１つば  ７４…第２つば  ７６…面取り部  ７８，８０…仮想面  ８２…溝  ８４…文字（文字列）  ８６〜９８…カバー部材。
【図１】
2019138826.tif 000003
【図２】
2019138826.tif 000004
【図３】
2019138826.tif 000005
【図４】
2019138826.tif 000006
【図５】
2019138826.tif 000007
【図６】
2019138826.tif 000008
【図７】
2019138826.tif 000009
【図８】
2019138826.tif 000010
【図９】
2019138826.tif 000011
【図１０】
2019138826.tif 000012
【図１１】
2019138826.tif 000013
【図１２】
2019138826.tif 000014